(57)【要約】【課題】粉状コーヒー豆にお湯を均一に滲み込ませることができるコーヒーメーカーを提供する。【解決手段】ドリップ式コーヒーメーカーは、スタンドと、スタンドに接続された抽出装置とを備える。抽出装置は、排出口を有する熱水管１６と、熱水管１６の排出口の下方に配置された抽出容器１８と、拡散室４８及び複数の孔６０を設けた底板４２を有する拡散スプレー２６とを有する。熱水管１６の排出口は、拡散スプレー２６に接続され、拡散室４８と連通し、抽出容器１８は最大直径を有し、拡散スプレー２６の直径は、抽出容器１８の最大直径の少なくとも４５％である。【選択図】図３
0003155065.tif 000002
【実用新案登録請求の範囲】
【請求項１】
スタンドと、前記スタンドに接続された抽出装置と、を備えるドリップ式コーヒーメーカーであって、
前記抽出装置は、
排出口を有する熱水管と、
前記熱水管の前記排出口の下方に配置された抽出容器と、
拡散室及び複数の孔を設けた底板を有する拡散スプレーと、を有し、
前記熱水管の前記排出口は、前記拡散スプレーに接続され、前記拡散室と連通し、
前記拡散スプレーの直径は、前記抽出容器の最大直径の少なくとも４５％であることを特徴とするドリップ式コーヒーメーカー。
【請求項２】
前記拡散スプレーは、
前記底板、前記底板の周縁から上方へ延設された環状の側壁、及び前記側壁の頂端から外側へ延設されたフランジを有するスプレーと、
前記フランジに接続されたトップカバーと、を有することを特徴とする請求項１に記載のドリップ式コーヒーメーカー。
【請求項３】
前記トップカバーにはネジ孔が設けられ、
前記熱水管は、前記排出口の端部に第１の接続部を有し、
前記第１の接続部は、前記トップカバーの前記ネジ孔に結合されるネジ山を有することを特徴とする請求項２に記載のドリップ式コーヒーメーカー。
【請求項４】
前記抽出容器が固定され、前記拡散スプレーが配置される第１の空間を有するベースをさらに備えることを特徴とする請求項１に記載のドリップ式コーヒーメーカー。
【請求項５】
前記ベースには、前記熱水管を貫設するための開口が設けられ、
前記熱水管には、ナットを螺接して前記ベースに固定させるためのネジ山が設けられていることを特徴とする請求項４に記載のドリップ式コーヒーメーカー。
【請求項６】
前記ベースは、前記第１の空間の底端に位置し、前記ナットを収納する第２の空間を有することを特徴とする請求項５に記載のドリップ式コーヒーメーカー。
【請求項７】
前記熱水管は、第１の接続部および第２の接続部を有し、
前記第２の接続部の直径は、前記第１の接続部よりも大きく、
前記第１の接続部は、前記拡散スプレーに接続され、
前記第２の接続部は、前記ナットに接続されることを特徴とする請求項５に記載のドリップ式コーヒーメーカー。
【請求項８】
前記拡散スプレーの前記底板は平面状であることを特徴とする請求項１に記載のドリップ式コーヒーメーカー。
【請求項９】
前記拡散スプレーの前記底板に設けられた前記孔の直径は１〜３ｍｍの間であることを特徴とする請求項１に記載のドリップ式コーヒーメーカー。
【請求項１０】
前記拡散スプレーの前記底板に設けられた前記孔は、均等に分布するように設けられていることを特徴とする請求項１に記載のドリップ式コーヒーメーカー。
【請求項１１】
前記拡散スプレーの前記底板に設けられた前記孔は、単位面積当たりの密度が前記底板の中心から外側へ向かうに従い小さくなることを特徴とする請求項１に記載のドリップ式コーヒーメーカー。
【考案の詳細な説明】
【技術分野】
【０００１】
本考案は、コーヒーメーカーに関し、特に、品質が安定し、風味が良好なコーヒーをつくるドリップ式コーヒーメーカーに関する。
【背景技術】
【０００２】
ドリップ式コーヒーメーカーは、風味が良好なコーヒーが簡単につくれるため、コーヒー好きの人々に広く利用されている。
【０００３】
図５に示すように、従来のドリップ式コーヒーメーカー７０は、スタンド７２と、スタンド７２から延設されたフレーム７４と、を含む。フレーム７４の頂端には抽出装置７６が配置されている。抽出装置７６は、熱水管７８と、抽出空間８２を有する抽出容器８０と、を含む。抽出空間８２には、中に粉状コーヒー豆８６が入った濾紙８４が取り付けられている。加熱された水が熱水管７８から抽出空間８２の中に入れられると、抽出空間８２の中の粉状コーヒー豆８６に滲みてから濾紙８４により濾過され、抽出容器８０の底部に設けられた排出口８８からスタンド７２上に置かれたコーヒーカップ９０の中にコーヒーが流れ込む。
【０００４】
しかし、従来のコーヒーメーカーにより作られたコーヒーには苦くて渋い味（以下、「雑味」という。）が発生することがある。つまり、お湯が熱水管から抽出空間に入ると、粉状コーヒー豆の真ん中（即ち、熱水管のちょうど真下の位置）から外側に向かって拡散するようにお湯が滲みる。そしてこの際、中央部分にある粉状コーヒー豆にお湯が滲みる時間が長くなりすぎて雑味が発生することがあった。
【０００５】
そのため、雑味が発生しないコーヒーメーカーが求められていた。
【考案の概要】
【考案が解決しようとする課題】
【０００６】
本考案の目的は、粉状コーヒー豆にお湯を均一に滲み込ませることができるコーヒーメーカーを提供することにある。
【課題を解決するための手段】
【０００７】
上記課題を解決するために、本考案の第１の形態によれば、スタンドと、このスタンドに接続された抽出装置と、を備えるドリップ式コーヒーメーカーであって、抽出装置は、排出口を有する熱水管と、熱水管の排出口の下方に配置された抽出容器と、拡散室及び複数の孔を設けた底板を有する拡散スプレーと、を有し、熱水管の排出口は、拡散スプレーに接続され、拡散室と連通し、抽出容器は最大直径を有し、拡散スプレーの直径は、抽出容器の最大直径の少なくとも４５％以上であることを特徴とするドリップ式コーヒーメーカーが提供される。
【０００８】
拡散スプレーは、底板、底板の周縁から上方へ延設された環状の側壁、及び側壁の頂端から外側へ延設されたフランジを有するスプレーと、フランジに接続されたトップカバーと、を有することが好ましい。
【０００９】
トップカバーにはネジ孔が設けられ、熱水管は、排出口の端部に第１の接続部を有し、第１の接続部は、トップカバーのネジ孔に結合されるネジ山を有することが好ましい。
【００１０】
抽出容器が固定され、拡散スプレーが配置される第１の空間を有するベースをさらに備えることが好ましい。
【００１１】
ベースには、熱水管を貫設するための開口が設けられ、熱水管には、ナットを螺接してベースに固定させるためのネジ山が設けられていることが好ましい。
【００１２】
ベースは、第１の空間の底端に位置し、ナットを収納する第２の空間を有することが好ましい。
【００１３】
熱水管は、第１の接続部および第２の接続部を有し、第２の接続部の直径は、第１の接続部よりも大きく、第１の接続部は、拡散スプレーに接続され、第２の接続部は、ナットに接続されることが好ましい。
【００１４】
拡散スプレーの底板は平面状であることが好ましい。
【００１５】
拡散スプレーの底板に設けられた孔の直径は１〜３ｍｍの間であることが好ましい。
【００１６】
拡散スプレーの底板に設けられた孔は、均等に分布するように設けられていることが好ましい。
【００１７】
拡散スプレーの底板に設けられた孔は、単位面積当たりの密度が底板の中心から外側へ向かうに従い小さくなることが好ましい。
【考案の効果】
【００１８】
本考案のコーヒーメーカーは、粉状コーヒー豆にお湯を均一に滲み込ませることができる。
【図面の簡単な説明】
【００１９】
【図１】本考案の一実施形態によるコーヒーメーカーを示す右側面図である。
【図２】本考案の一実施形態による拡散スプレーを示す分解斜視図である。
【図３】本考案の一実施形態によるコーヒーメーカーを示す部分断面図である。
【図４】図３の部分拡大図である。
【図５】従来のコーヒーメーカーの構造を示す断面図である。
【考案を実施するための形態】
【００２０】
以下、本考案の実施形態について図に基づいて説明する。なお、これによって本考案が限定されるものではない。
【００２１】
（一実施形態）
図１〜図４に示すように、本考案の一実施形態によるドリップ式コーヒーメーカーは、スタンド１０と、スタンド１０から延伸されたフレーム１２と、を含む。フレーム１２の頂端には抽出装置１４が設けられている。抽出装置１４は、水槽（図示せず）、加熱器（図示せず）、熱水管１６、抽出容器１８を含む。抽出容器１８の中には、粉状コーヒー豆２２が入れられた濾紙２０が取り付けられている。本実施形態のドリップ式コーヒーメーカーが含む上述の構成要素は、当業者に知られているように、従来のコーヒーメーカーと同じであるため、ここでは詳しく述べない。
【００２２】
図２および図３に示すように、本実施形態の抽出装置１４は、ベース２４および拡散スプレー２６を含む。
【００２３】
ベース２４は、その下に第１の空間２８および第２の空間３０が設けられ、２段状の突起が中央部分に設けられたプレート状である。第１の空間２８は、大きな空間を有する１段目の突起により形成された空間である。第２の空間３０は、開口３２を頂端に有する２段目の突起により形成された空間である。
【００２４】
拡散スプレー２６は、トップカバー３４およびスプレー３６を含む。トップカバー３４は、円盤状であり、内側にネジ孔４０が設けられた管状部３８が中央部分に設けられている。スプレー３６は、円盤状であり、平面状の底板４２と、底板４２の周縁から上向きに延設された側壁４４と、側壁の頂端から外側に延設されたフランジ４６と、を含む。底板４２には、所定の形態で分布された複数の孔６０が設けられている。トップカバー３４は、スプレー３６上を覆い、トップカバー３４とフランジ４６との接触面を、接着、溶接、かしめなどの方式により貼り合わせ、その間に拡散室４８が密閉されるように形成される。
【００２５】
図４に示すように、熱水管１６には、２段状に形成された第１の接続部５２および第２の接続部５４を有する排出口５０が設けられている。第１の接続部５２は、直径が小さく、排出口５０に近設されている。第２の接続部５４は、直径が大きく、第１の接続部５２に隣接するように設けられている。第１の接続部５２および第２の接続部５４にはそれぞれネジ山が設けられている。熱水管１６の排出口５０は、ベース２４の中央部分に設けられた開口３２から第２の空間３０の中に挿入された後、ナット５６により第２の接続部５４と螺接し、熱水管１６とベース２４とを接続する。続いて、パッド５８へ熱水管１６の第１の接続部５２を入れ子式で接続してから、トップカバー３４のネジ孔４０の中へ螺接することにより、スプレー３６、トップカバー３４、ベース２４および熱水管１６をそれぞれ接続させる。この際、ナット５６は、ベース２４の第２の空間３０の中に位置し、スプレー３６およびトップカバー３４は、第１の空間２８の中で底端に圧着される。最後に、スタンド１０と抽出容器１８とが結合され、抽出容器１８の上方にスプレー３６が配置される。
【００２６】
熱水管１６の排出口５０からのお湯は、拡散スプレー２６の拡散室４８の中に入った後に、底板４２上に設けられた孔６０から流れ出し、お湯が大きな面積で粉状コーヒー豆２２に垂らされて均一に滲みわたる。
【００２７】
スプレー３６の直径は大きいほどよいが、好ましくは、抽出容器１８の最大直径Ｄは約９〜２５ｃｍの間であり、スプレー３６の直径ｄは５〜１５ｃｍの間である。さらに好ましくは、抽出容器１８の最大直径Ｄは１８ｃｍであり、スプレー３６の直径ｄは１０ｃｍである。さらに、粉状コーヒー豆２２全体にお湯を大きな面積で垂らすことができるように、スプレー３６の直径は、抽出容器１８の最大直径Ｄの少なくとも４５％以上であることが好ましい。
【００２８】
本実施形態では、スプレー３６の底板４２は平板状であり、その上に形成される孔の孔径は、大きすぎると流量が多くなりすぎ、小さすぎると流量が少なくなりすぎるため、１〜３ｍｍの間であることが好ましい。その上、孔は均等に配置されている。拡散室４８の中のお湯は、それら複数の孔により均等に流れ出すため、抽出容器１８の中にある粉状コーヒー豆２２の抽出を略均等に行うことができる。
【００２９】
一般に抽出容器１８の形状は碗状であるため、抽出容器１８の中心付近にある粉状コーヒー豆２２は深い。即ち、粉状コーヒー豆２２の量は、抽出容器１８の中心部分で最も多く、中心から外側へ向かうに従い少なくなっている。そのため、本考案の他の実施形態では、スプレー３６には、単位面積当たりの密度が中心部分で大きく、中心から外側へ離れるに従い小さくなるように孔が設けられている。
【００３０】
上述したことから分かるように、本考案のドリップ式コーヒーメーカーは、大きな面積でお湯を垂らし、抽出容器の中にある粉状コーヒー豆を均等に浸すことにより、風味が良好なコーヒーを提供することができる。
【００３１】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００３２】
１０：スタンド、１２：フレーム、１４：抽出装置、１６：熱水管、１８：抽出容器、２０：濾紙、２２：粉状コーヒー豆、２４：ベース、２６：拡散スプレー、２８：第１の空間、３０：第２の空間、３２：開口、３４：トップカバー、３６：スプレー、３８：管状部、４０：ネジ孔、４２：底板、４４：側壁、４６：フランジ、４８：拡散室、５０：排出口、５２：第１の接続部、５４：第２の接続部、５６：ナット、５８：パッド、６０：孔
【図１】
0003155065.tif 000003
【図２】
0003155065.tif 000004
【図３】
0003155065.tif 000005
【図４】
0003155065.tif 000006
【図５】
0003155065.tif 000007